(57)【特許請求の範囲】
【請求項１】
第１の筐体と、第２の筐体と、前記両筐体を開閉可能に軸支するヒンジ部とを有する折畳式通信装置であり、
前記第１の筐体は表示部を有し、前記表示部は、メイン表示領域と、当該メイン表示領域の一部であるサブ表示領域とからなり、
筐体を開いた状態では、前記メイン表示領域全体が露出し、一方、筐体を閉じた状態では、前記メイン表示領域のうち、前記サブ表示領域のみ露出し、
筐体を開いた状態であり、且つ前記メイン表示領域に選択候補の一覧とカーソルが表示されている状態で筐体を閉じると、前記サブ表示領域に前記カーソルが指示する選択候補を表示し且つ前記カーソルが指示していない選択候補は全て表示しないことを特徴とする折畳式通信装置。
【発明の詳細な説明】
【０００１】
【発明の属する技術分野】
本発明は、閉じた時も選択画面を継続して表示する折畳式通信装置に関する。
【０００２】
【従来の技術】
閉じた時に表示領域の一部を見ることができる折畳式携帯電話装置が考えられた（例えば、特許文献１参照。）。これにより、表示領域が狭くなるが、閉じた状態でも継続画面を見ることができる。
【０００３】
【特許文献１】
特許第３２０８２９４号公報（図１）
【０００４】
【発明が解決しようとする課題】
そこで、この表示領域が狭くても有効に活用できる発明が要望された。
【０００５】
【課題を解決するための手段】
本発明の通信装置はかかる点に鑑みなされたもので、第１の筐体と、第２の筐体と、前記両筐体を開閉可能に軸支するヒンジ部とを有する折畳式通信装置であり、前記第１の筐体は表示部を有し、前記表示部は、メイン表示領域と、当該メイン表示領域の一部であるサブ表示領域とからなり、筐体を開いた状態では、前記メイン表示領域全体が露出し、一方、筐体を閉じた状態では、前記メイン表示領域のうち、前記サブ表示領域のみ露出し、筐体を開いた状態であり、且つ前記メイン表示領域に選択候補の一覧とカーソルが表示されている状態で筐体を閉じると、前記サブ表示領域に前記カーソルが指示する選択候補を表示し且つ前記カーソルが指示していない選択候補は全て表示しないことを特徴とする。
【０００６】
【発明の実施の形態】
本発明の実施例を図面に基づき説明する。図１は第１の実施例の開いた状態を示す斜視図であり、図２は閉じた状態を示す斜視図である。本実施例の折畳式携帯電話装置は送話部（１）と受話部（２）が左右一対のヒンジ（３）（４）により回動可能に軸支される。図１に示す如く、受話部（１）はスピーカ（１１）、表示部（１２）と第１の入力部（１３）を有する。受話部（２）はマイクロホン（２１）、第２の入力部（２２）と左右一対のアーム（２３）（２４）を有する。
【０００７】
図１において、表示部（１２）の下方に第１の入力部（１３）が配設され、ヒンジ（３）（４）の回動軸は第１の入力部（１３）の中央より上方向に配設される。
【０００８】
左右のアーム（２３）（２４）は第２の入力部（２２）の左右から夫々左右のヒンジ（３）（４）に向かって延在し、延在した端がヒンジ（３）（４）の支点となる。送話部（２）の左右のアーム（２３）（２４）の間は空部（２５）となる。
【０００９】
図１に示すように、開いた状態で第１の入力部（１３）のヒンジ（３）（４）部より下の部分が空部（２５）に位置する。図２に示すように、閉じた状態で第１の入力部（１３）のヒンジ（３）（４）部より上の部分が空部（２５）に位置する。そして、ヒンジ（３）（４）の回動軸が第１の入力部（１３）の中央より上方向に配設される為に、閉じた状態で表示部（１２）の下部が露出する。
【００１０】
このような構成により、使用者は、閉じた時でも表示部（１２）の一部を見ることができ、且つ、第１の入力部（１３）の操作が可能となる。
【００１１】
図３は実施例の要部の構成を示すブロック図である。図３において、（Ｂ１）は電話通信部であり、後述のベースバンド部（Ｂ３）からの信号をアンテナ（Ｂ２）を介して基地局へ発信したり、アンテナ（Ｂ２）を介して基地局からの電波を受信したりする。
【００１２】
（Ｂ３）はベースバンド部であり、CＤＭＡ処理回路（Ｂ１）と音声コーデック（Ｂ２）を有する。CＤＭＡ処理回路（Ｂ３１）は符号分割多元接続、スクランブル、誤り制御、タイミング検出を行う。音声コーデック（Ｂ３２）は音声を圧縮（符号化）・伸張（復号化）したり、アナログとディジタルの変換を行ったり、内部の増幅回路（図示せず）により受話音量やマイクロホンの感度を変更する。
【００１３】
（１１）は耳にあてて通話に使用されるスピーカであり、増幅回路（Ｂ４）で増幅されたベースバンド部（Ｂ３）の電気信号を音声に変換する。（２１）は通話に使用されるマイクロホンであり、音声を電気信号に変換する。（Ｂ５）は増幅回路であり、マイクロホン（２１）の出力を増幅してベースバンド部（Ｂ３）に出力する。
【００１４】
（２６）（２７）は受話音を周囲の人にも聞かせるための拡声用のスピーカであり、図２に示す如く、送信部（２）の背面の左右に配設される。このスピーカ（２６）（２７）は夫々の増幅回路（Ｂ６）（Ｂ７）で増幅されたベースバンド部（Ｂ３）の電気信号を音声に変換する。また、スピーカ（２６）（２７）は着信報知の鳴動も行う。
【００１５】
（Ｂ８）は切替回路であり、４つの夫々の増幅回路（Ｂ４）（Ｂ５）（Ｂ６）（Ｂ７）とベースバンド部（Ｂ３）との接続を後述の制御回路（Ｂ９）の制御によりＯＮ／ＯＦＦする。尚、これら３つの増幅回路（Ｂ４）（Ｂ５）（Ｂ６）（Ｂ７）はゲインを固定しており、受話音量やマイクロホンの感度を変更することはできない。受話音量やマイクロホンの感度の変更は制御回路（Ｂ９）の制御によりベースバンド部（Ｂ３）の音声コーデック（Ｂ３２）が行う。
【００１６】
（Ｂ９）はマイクロプロセッサからなる制御回路であり、動作のプログラムを記憶したＲＯＭ（Ｂ１０）に基づき各部を制御する。（Ｂ１１）はＲＡＭであり、制御回路（Ｂ９）の動作に必要な情報を記憶する。
【００１７】
表示部（１２）はバックライトを有する液晶であり、電話番号等を表示する。バックライトの光源は複数のＬＥＤであり、図示しないが、図１の状態で縦方向に一列に配設される。本発明は閉じた状態でも表示部（１２）の一部は見ることができるため、閉じたときに露出する部分に対応するバックライトのＬＥＤを点灯させ、露出しないＬＥＤは点灯させないようにすることができる。
【００１８】
閉じた状態でも入力可能な第１の入力部（１３）は通話の開始を操作する通話キー（１３１）、通話の終了を操作する終話キー（１３２）、電話帳の操作を行う電話帳キー（１３３）、メールの操作を行うメールキー（１３４）とカーソル移動の操作や設定操作を行うカーソル／設定キー（１３５）を有する。開いた状態でのみ入力可能な第２の入力部（２２）は電話番号の入力等を行うテンキー（２２１）を有する。
【００１９】
（Ｂ１２）は受信部（１）と送信部（２）の開閉を検出する開閉検出スイッチ（Ｂ１２）である。開閉検出スイッチ（Ｂ１２）は受信部（１）の孔（図１の１４）を塞ぐ位置に配設され、閉じられた時は送信部（２）のアーム（２４）に設けられた凸部（２５）により押されてＯＮになる。
【００２０】
（Ｂ１３）は撮像するカメラ（図示せず）であり、表示部（１２）の背面に配設され、スライド方式のレンズカバー（図示せず）を有する。（１５）はレンズカバー／電源キーであり、電源のＯＮ／ＯＦＦ操作とカメラのレンズの開閉操作を行う。レンズカバー／電源キー（１５）は受話部（１）の側面に配設され、閉じた時でも操作することができる。また、その操作はプッシュ式でなくスライド方式であるために、スライド方式のレンズカバーをスライドさせる機構の構成が容易であり、且つ、ポケットなどに携帯電話装置が入れられたときに、誤って電源がＯＮになり難い。また、本発明は閉じた状態でも表示部（１２）の一部は見ることができるため、閉じた状態でレンズカバー／電源キー（１５）をＯＮにすると、電源がＯＮになると共にレンズカバーが開き、表示部（１２）の露出している部分のバックライトが点灯する。ここで、カーソル／設定キー（１３５）を操作すればカメラの撮像が可能となる。
【００２１】
次に表示動作について説明する。図４は電話帳での選択画面を示す第１の実施例の図である。（Ａ１）は開いた状態であり、（Ａ２）は閉じた状態である。閉じた状態では露出する表示部（１２）の下部に対応するバックライト用ＬＥＤのみ点灯する。
【００２２】
開いた状態の（Ａ１）において、最上行に受信強度の状況や電池残量などの状態情報を表示し、第２行目にタイトルである「電話帳（グループ）」を表示し、第３行目に項目名称である「氏名」「電話番号」を表示し、第４行目以下にデータである氏名と電話番号のリストを表示する。（Ａ１）の例では、カーソル位置（選択されているもの）を示す網掛けは氏名と電話番号のリストの「氏名３  電話番号３」掛けられている。
【００２３】
この状態で閉じられると、（Ａ２）に示す如く、受信強度の状況や電池残量などの状態情報は最下行に位置を変更して表示し、「電話帳（グループ）」のタイトルや「氏名」「電話番号」の項目名称は表示せずに、カーソルで選択されていた「氏名３  電話番号３」のみを表示する。この表示変更動作は、開閉検出スイッチ（Ｂ１２）により閉じたことを制御回路（Ｂ１０）が検出して自動的に行われる。
【００２４】
このように、閉じた時は受信強度の状況や電池残量などの状態情報を自動的に最上行から最下行に変更し、データを状態情報の上方に表示する。狭い表示領域や下方に位置する表示が上方の行は視認性がよい。従って、表示データとしての重要性が低い受信強度の状況や電池残量などの状態情報は視認性が悪い下方に表示させて、他の表示データの視認性を高めるという作用効果がある。
【００２５】
また、閉じた時は選択されていないデータは表示させない。これにより、他人に見られたくない情報を容易に隠すことができる。例えば、「氏名３  電話番号３」を見せたいが、「氏名４  電話番号４」は見せたくないとき、閉じるだけの簡単な操作で「氏名３  電話番号３」のみの表示を行うことができる。尚、（Ａ２）は２行の表示であるが、３行以上の表示の場合、余分な行は空白となる。
【００２６】
図５は第２の実施例の表示動作を示す。第２の実施例では選択リスト中複数を選択することができ、ここでは、（Ｂ１）に示す如く、「氏名３  電話番号３」と「氏名７  電話番号７」が選択される。そして、（Ｂ２）に示す如く、閉じたときの表示行数は４行である。
【００２７】
（Ｂ１）の状態で閉じられると、第１行目に受信強度の状況や電池残量などの状態情報を表示し、第２,３行目に選択された「氏名３  電話番号３」と「氏名７  電話番号７」を表示し、第４行目は空白となる。選択された数が３以上であれば第４行目に選択されたものが表示される。選択された数が４以上であれば、上下にリストがスクロール可能となる。
【００２８】
このように、他人に見せるデータは複数であってもよい。また、状態情報を最上行に表示することも可能である。
【００２９】
図６は第３の実施例の表示動作を示す。第３の実施例では最下行にファンクションキーの表示を行う。ファンクションキーの表示とはそのときの状態のキーの機能を表示するものであり、（Ｃ１）では、電話帳キー（１３３）を操作すると、「戻る」動作を行い、カーソル／設定キー（１３５）を操作すると、「選択」動作を行い、メールキー（１３４）を操作すると、「終了」動作を行う。（Ｃ２）に示す如く、閉じたときの表示行数は４行である。そして、複数の選択は可能であるが、「氏名３  電話番号３」の一つが選択されている。
【００３０】
（Ｃ１）の状態で閉じられると、第１行目に「氏名３  電話番号３」を表示し、第２行目は空白にし、第３行目に受信強度の状況や電池残量などの状態情報を表示し、第４行目にファンクションキーが表示される。
【００３１】
このようにファンクションキーが表示される場合は、閉じた時の状態情報の表示位置をファンクションキーの一つ上の行にすればよい。
【００３２】
尚、上述の実施例では、閉じた時に表示する表示部は開いときに表示する表示部の一部であったが、閉じた時に表示する表示部（サブ表示部）を開いときに表示する表示部（メイン表示部）と別体の折畳式携帯電話装置に適用することができる。
【００３３】
【発明の効果】
上述の如く、本発明は、閉じた時は選択されていないデータは表示させない。これにより、他人に見られたくない情報を容易に隠すことができる。
【図面の簡単な説明】
【図１】本発明の実施例の開いた状態を示す斜視図である。
【図２】本発明の実施例の要部の構成を示すブロック図である。
【図３】本発明の実施例の開いた状態を示す斜視図である。
【図４】本発明の第１の実施例の表示を示す斜視図である。
【図５】本発明の第２の実施例の表示を示す斜視図である。
【図６】本発明の第３の実施例の表示を示す斜視図である。
【符号の説明】
１  受話部
２  送話部
３  ヒンジ（左）
４  ヒンジ（右）
１２  表示部
１３  第１の入力部
２３  アーム（左）
２４  アーム（右）
２５  空部
Ｂ９  制御回路
Ｂ１２  開閉検出スイッチ
【図１】
0004357205.tif 000002
【図２】
0004357205.tif 000003
【図３】
0004357205.tif 000004
【図４】
0004357205.tif 000005
【図５】
0004357205.tif 000006
【図６】
0004357205.tif 000007